(57)【要約】【課題】  斜め方向も考慮した直線性の評価方法を得る。【解決手段】    抵抗膜式タッチパネルの直線性の評価方法を、一定の電圧を印加した下で、パネルの縦・横それぞれ一定の間隔でマトリックス状に設定した複数の測定点における電圧値Ｖを検出し、該複数の電圧値を前記パネルの縦・横のそれぞれ略中央でもって分割して４つのブロック（Ａ〜Ｄ）に分け、対角上にある２つのブロックをそれぞれグループにし、該グループの２つのブロックの一番外側の隅にあって対角上にある２つの測定点の電圧値を基準にして一定の計算式の下でそのグループの直線性係数Ｃを算出して評価する。【選択図】        図１
2005127787.tif 000002
【特許請求の範囲】
【請求項１】
方形の透明電極と該透明電極の対向する二辺に接続した一対の導電電極とを有するＸ軸側の座標読取りパネルと、方形の透明電極と該透明電極の対向する二辺に接続した一対の導電電極とを有するＹ軸側の座標読取りパネルとを一定の隙間を持たせて対向配置してなる抵抗膜式タッチパネルの直線性の評価方法において、タッチパネルとして使用可能な方形の領域にて、縦・横それぞれ一定の間隔でマトリックス状に設定した複数の測定点を定め、前記Ｘ軸側の座標読取りパネル及び前記Ｙ軸側の座標読取りパネル間に一定の電圧を印加した下で各測定点における電圧値を検出し、前記タッチパネルとして使用可能な方形の領域の４隅の測定点の中で対角上にある２つの測定点の電圧値を基準にして直線性係数を算出し、該直線性係数をもって直線性の評価をすることを特徴とするタッチパネルの直線性の評価方法。
【請求項２】
前記対角上にある２つの測定点の電圧値を基準にして算出する直線性係数は、前記タッチパネルとして使用可能な方形の領域を縦・横のそれぞれ略中央でもって分割して４つのブロックに分け、対角上にある２つのブロックをそれぞれグループにし、該グループの対角上にある２つのブロックの一番外側の隅にあって対角上にある２つの測定点の電圧値を基準にしてそのグループの直線性係数を算出することを特徴とする請求項１に記載のタッチパネルの直線性の評価方法。
【請求項３】
前記対角上にある２つの測定点の電圧値を基準にして算出する直線性係数は一定の計算式に基づくことを特徴とする請求項１又は２に記載のタッチパネルの直線性の評価方法。
【請求項４】
前記直線性係数の計算式は、前記測定点がＹ軸方向にｎ個、Ｘ軸方向にｍ個の測定点を持ち、これらの測定点を前記タッチパネルの縦・横のそれぞれ略中央でもって分割して左上、左下、右上、右下の４つのブロックに分けて、対角上にある左上と右下の２つのブロックを第１のグループ、左下と右上の２つのブロックを第２のグループとし、左上隅にある測定点からＹ軸方向にｉ番目、Ｘ軸方向にｊ番目になる測定点での直線性係数をＣｉｊと呼ぶと、直線性係数Ｃｉｊは、
前記Ｘ軸側の座標読取りパネルにおける前記第１のグループにては、
Ｃｉｊ＝（Ｖ００＋（（（Ｖｎｍ−Ｖ００）／ｍ）×ｊ）−Ｖｉｊ）／（Ｖｎｍ−Ｖ００）、
前記Ｘ軸側の座標読取りパネルにおける前記第２のグループにては、
Ｃｉｊ＝（Ｖｎ０＋（（（Ｖ０ｍ−Ｖｎ０）／ｍ）×ｊ）−Ｖｉｊ）／（Ｖ０ｍ−Ｖｎ０）、
又、Ｙ軸側の座標読取りパネルにおける前記第１のグループにては、
Ｃｉｊ＝（Ｖ００＋（（（Ｖｎｍ−Ｖ００）／ｎ）×ｉ）−Ｖｉｊ）／（Ｖｎｍ−Ｖ００）、
前記Ｙ軸側の座標読取りパネルにおける前記第２のグループにては、
Ｃｉｊ＝（Ｖ０ｍ＋（（（Ｖｎ０−Ｖ０ｍ）／ｎ）×ｉ）−Ｖｉｊ）／（Ｖｎ０−Ｖ０ｍ）、
（但し、ｉ＝０〜ｎ、ｊ＝０〜ｍ、Ｖｎｍ＞Ｖ００、Ｖ０ｍ＞Ｖｎ０、Ｖｎ０＞Ｖ０ｍ ）
の計算式で与えることを特徴とする請求項３に記載のタッチパネルの直線性の評価方法。
【請求項５】
前記請求項１乃至４のいずれか１つに記載の直線性係数を使用し、該直線性係数の最大値をもってタッチパネルの評価を行うことを特徴とするタッチパネルの直線性の評価方法。
【請求項６】
直線性を検査する直線性検査装置において、前記請求項１乃至５のいずれか１つに記載の直線性係数を算出してタッチパネルの直線性評価を行うことを特徴とする直線性検査装置。
【請求項７】
前記請求項６に記載の直線性検査装置は、前記マトリックス状に設定した複数の測定点で自動的にタッチパネルを押圧し、電圧値を検出し、前記計算式の下で自動的に直線性係数を計算し、直線性係数などの直線性評価結果を印刷出力することを特徴とする直線性検査装置
【請求項８】
前記請求項１乃至５のいずれか１つに記載のタッチパネルの直線性の評価方法を用いて評価を行ったことを特徴とするタッチパネル。
【請求項９】
前記請求項６又は７記載の直線性検査装置を用いて直線性の評価を行ったことを特徴とするタッチパネル。
【発明の詳細な説明】
【技術分野】
【０００１】
本発明は、ＡＴＭ、カーナビゲーション、自動販売機、複写機、各種端末機等の機器において、液晶ディスプレイ等の表示画面上に配置し、透視した画面の指示に従って使用者が情報の表示画面を指やペンで直接押してデータの入力が行われるタッチパネルに関するもので、特に、抵抗膜式タッチパネルの直線性（リニアリティ）の評価方法に関する。
【背景技術】
【０００２】
抵抗膜式タッチパネルは、液晶表示装置などの表示装置の前面に配設されて使用され、方形の透明電極とそれに接続する導電電極を形成した一対の透明絶縁基板を対向して配置し、ペンや指で押圧して押圧位置座標をアナログ／デジタル（Ａ／Ｄ）変換器で検出する。Ａ／Ｄ変換の能力により高分解能が得られるため、ＡＴＭ、カーナビゲーション、自動販売機、複写機、各種端末機等の機器に良く用いられている。
【０００３】
この抵抗膜式タッチパネルの一般的な構成を、以下、図６〜９を用いて説明する。図６は一般的な抵抗膜式タッチパネルの平面図、図７は図６におけるＥ−Ｅ断面図、図８は図６における下基板の平面図、図９は図６おける上基板の平面図、を示したものである。
【０００４】
図６、図７、図８、図９に示すように、タッチパネル２０は形状が方形をなす下基板１と可撓性を有する上基板１１とを主構成部品にして構成される。下基板１は、透明な方形のガラスからなる下透明基板２と、この下透明基板２の上面に方形形状に形成された下透明電極３と、この下透明電極３の図中上下の対向する両辺に沿って接続形成されて下透明基板２の図中下側の延設部にある点線枠で囲ったＦＰＣ取付部Ｓにまで引き回した一対の導電電極４及び５と、ＦＰＣ取付部Ｓ近辺に形成された継ぎ電極６、７と、下透明電極３上にマトリックス状に配置したドットスペーサ８とで構成されている。尚、上記継ぎ電極６、７は、後述する上基板１１の導電電極１４、１５に導通接続を行うためにＦＰＣ取付部Ｓ近辺に設けられている。
【０００５】
上基板１１は、板厚が０．２ｍｍの可撓性のある透明な方形のマイクロガラス（マイクロシートガラス）からなる上透明基板１２と、この上透明基板１２の下面に方形形状に形成されている上透明電極１３と、この上透明電極１３の図中左右の対向する両辺に沿って接続形成されてＦＰＣ取付部Ｓ方向に向かって引き回された一対の導電電極１４、１５とで構成されている。
【０００６】
そして、上下基板１１、１の導電電極１４、１５及び４、５が方形配置となるように対向配置し、上下基板１１、１とに８〜１０μｍ位の隙間を持たせてシール材１７で上下基板１１、１とを接着して固定すると共に、上下基板１１、１の外周域を周回してシールしている。更に、上基板１１の導電電極１４及び１５は、接続部Ｂ及びＡの場所において、その先端部１４ａ、１５ａが下基板１の継ぎ電極６及び７と導電性接着剤を介して接続され、導通がとられている。また、上基板１１の上面には偏光板１８、下基板１の下面には位相差板１６が接着剤を介して貼付けられており、下基板１のＦＰＣ取付部Ｓの所にはＦＰＣ９が導電性接着剤を介して取付けられるようになっている。
【０００７】
上記構造を成すタッチパネル２０の各構成要素部品は次のようになっている。下基板１を構成する下透明基板２は、透明なソーダガラス、石英ガラス、アルカリガラス、ホウケイ酸ガラス、普通板ガラス等が使用でき、反り等が起きない程度の厚さのものが使われる。多くは０．７〜１．１ｍｍのものが選択される。ここでの下透明基板２は厚みが１．１ｍｍのソーダガラスを使用している。上基板１１を構成する上透明基板１２は可撓性を必要とするところなので透明な薄板ガラスや透明なプラスチックフイルムが用いられるが、ここでは耐熱性や衝撃性にも強く、且つ可撓性を有する０．２ｍｍ厚みのホウケイ酸ガラスからなるマイクロガラス（マイクロシートガラス）を使っている。
【０００８】
下基板１を構成する下透明電極３及び上基板１１を構成する上透明電極１３は錫をドープした酸化インジウムのＩＴＯ（Indium Tin Oxide）膜で、真空蒸着法、スパッタリング法、ＣＶＤ法、印刷法等で形成する。この下透明電極３及び上透明電極１３は高抵抗値であることが求められるため２５０〜５００オングストロームの範囲で非常に薄く形成する。このＩＴＯ膜は、基板全面に形成したものをフォトリソグラフィにより不要部分を除去し、必要な部分を残して形成する。
【０００９】
下基板１を構成する導電電極４、５、継ぎ電極６、７、及び上基板１１を構成する導電電極１４、１５は、上下の透明電極１３、３に電圧印加するために設けるもので、銀粉や黒鉛粉等の高導電性金属粉を熱硬化性のエポキシ樹脂等に混ぜ合わせてインク化したものをスクリーン印刷等の印刷方法で形成する。タッチパネルの性能上、これらの電極の抵抗値が低ければ低いほど良いものであり、一般に、透明電極のシート抵抗値に対してこれらの電極のシート抵抗値は１００分の１以下であることが必要とされている。そこで、これらの電極の印刷の厚さを増したり、幅を広くしたりして抵抗値を小さく押さえる設計がなされている。
【００１０】
下基板１を構成するドットスペーサ８は、押圧を解除したときに上下の透明電極同士が離れ易くするために設けるもので、絶縁性を有する透明なアクリル樹脂、エポキシ樹脂、ウレタン樹脂、その他の透明な樹脂材料をスクリーン印刷等の方法でドットマトリックス状に一定間隔に形成し、その後、熱または紫外線で硬化処理を施して形成する。このドットスペーサ８は目に見えない大きさであることが求められることから、直径３０〜５０μｍ、高さは４〜５μｍ、ドット間隔は１〜８ｍｍの範囲で設計される。
【００１１】
シール材１７は、スペーサボールを分散させた熱硬化性のエポキシ樹脂接着剤やアクリル樹脂接着剤等をスクリーン印刷等の方法で印刷して形成する。ここで使われるスペーサボールは上基板１１と下基板１との隙間を一定隙間に保持するために設けるもので、所定の大きさの絶縁性のあるプラスチックボールやファイバーガラス等が利用される。このプラスチックボールやファイバーガラスの大きさは、上基板１１の透明絶縁基板１２の材質や厚さによって異なるが、０．２ｍｍのマイクロガラスを使用した場合は概ね８〜１０μｍ位の径のものが選択される。このシール材１７は上基板１１または下基板１の何れか一方に印刷した後、上基板１１と下基板１とを位置を合わせて貼合わせ、加圧の下で加熱処理を施して硬化させ、接着固定を行っている。また、このシール材１７は上基板１１と下基板１を固定する役目と共に内部に水分やゴミ等の進入を防止するシールの役目も持っている
【００１２】
図１０はペンで上基板１１を押圧したときの押圧状態を示した模式図である。上記構成を取るタッチパネル２０の上基板１１を構成する可撓性のある上透明基板１２をペン１０１で図中入力点Ｐで示した位置を押圧すると、上透明基板１２が撓んで上透明電極１３が下基板１の下透明電極３に接触し、その接触位置で電気的導通が行われる。
【００１３】
次に、押圧入力点の位置座標は図１１に示す原理に基づいて求めることができる。図１１は座標入力の原理を説明する模式的回路図を示していて、（ａ）図はＸ軸側の座標読取りパネルに電圧を印加した状態を示した模式的回路図、（ｂ）図はＹ軸側の座標読取りパネルに電圧を印加した状態を示した模式的回路図である。ここで、Ｘ１はＸ軸側の座標読取りパネルで、透明電極Ｔ２とその対向する二辺に設けられた一対の導電電極Ｄ２とが主構成部品になって構成されていて、Ｘ軸側の座標読取りパネルＸ１は前述の図６〜９で説明した上透明電極１３と導電電極１４、１５を設けた上基板１１に相当するものである。また、Ｙ１はＹ軸側の座標読取りパネルで、透明電極Ｔ１とその対向する二辺に設けられた一対の導電電極Ｄ１とが主構成部品になって構成されていて、前述の図６〜９で説明した下透明電極３と導電電極４、５を設けた下基板１がＹ軸側の座標読取りパネルＹ１に相当するものである。３１はスイッチ、３２は定電圧電源、３３は電圧計である。
【００１４】
（ａ）図に示すように、Ｘ軸側の座標読取りパネルＸ１に定電圧電源３２を介して電圧を印加した状態で、ペン１０１で入力点Ｐの位置を押圧すると、Ｘ軸側の座標読取りパネルＸ１の接触点ＰｘとＹ軸側の座標読取りパネルＹ１の接触点Ｐｙで、電圧が対面するＹ軸側の座標読取りパネルＹ１側に分圧して流れる。このとき、パネルＹ１側の抵抗ＹＲ２が電圧計３３の内部抵抗値に比べて非常に小さく無視できる値であるので、電圧計３３にはパネルＸ１側の抵抗ＸＲ２対する電圧値が示される。
【００１５】
次に、（ｂ）図に示すように、スイッチ３１を切り替えてＹ軸側の座標読取りパネルＹ１に電圧を印加すると、接触点Ｐｙの電圧が接触点ＰｘでＸ軸の座標読取りパネルＸ１側に分圧して流れる。このとき、パネルＸ１側の抵抗ＸＲ２が電圧計３３の内部抵抗値に比べて非常に小さく無視できる値であるので、電圧計３３にはパネルＹ１側の抵抗ＹＲ２に対する電圧値が示される。
【００１６】
このように、入力点におけるＸ軸側の座標読取りパネル、及び、Ｙ軸側の座標読取りパネルの電圧値を検出して、この電圧値を印加電圧との比から入力点ＰのＸ軸、Ｙ軸の位置座標が算出される。
【発明の開示】
【発明が解決しようとする課題】
【００１７】
ところで、一般的には、測定位置の距離（位置変量と呼ぶ）に比例して内部抵抗値が変わり、電圧値も比例的に変わる。しかしながら、Ｘ軸側の座標読取りパネルＸ１の透明電極Ｔ２、並びにＹ軸側の座標読取りパネルＹ１の透明電極Ｔ１の内部抵抗値はすべて均一なものではなく、位置（場所）によってバラツキを持っている。このため、検出される電圧値もこの内部抵抗値のバラツキに応じて変動する。位置変量に対する内部抵抗値の直線的な関係を、一般的に、直線性と呼んで表現しており、別名「リニアリティ」とも呼んでいる。位置変量に対する内部抵抗値の違い割合を直線性係数と呼ぶ。タッチパネルにおいては特に精度の高い直線性が要求される。このため、Ｘ軸側の座標読取りパネルＸ１、並びにＹ軸側の座標読取りパネルＹ１の広い領域にわたってその直線性を評価することを行っている。
【００１８】
タッチパネルの直線性を評価する方法として、従来は図１２、図１３に示すような評価方法を取っている。図１２はＸ軸側の座標読取りパネルの測定電圧値及びその直線性係数を示した表で、（ａ）図はＸ軸側の座標読取りパネルの測定点における測定電圧値、（ｂ）図は（ａ）図における測定電圧値の直線性係数を示したものである。また、図１３はＹ軸側の座標読取りパネルの測定電圧値及びその直線性係数を示した表で、（ａ）図はＹ軸側の座標読取りパネルの測定電圧値、（ｂ）図は（ａ）図における測定電圧値の直線性係数を示したものである。尚、便宜上、符号で示している。
【００１９】
図１２の（ａ）図に示すように、Ｘ軸側の座標読取りパネルは、Ｘ軸方向（横方向）に対してはそれぞれ一定間隔に８点、Ｙ軸方向（縦方向）に対してはそれぞれ一定間隔に８点、合計６４点の電圧測定点を持っていて、それぞれの測定点における測定電圧値をＶ００〜Ｖ７７で表示してある。電圧測定点はタッチパネル大きさや品質レベルの状況など考慮して適宜設定するものであるが、ここではＸ軸方向（横方向）に対してはそれぞれ一定間隔に８点、Ｙ軸方向（縦方向）に対してはそれぞれ一定間隔に８点、合計６４点の測定点を設定したもので説明する。次に、図１２（ｂ）図は、（ａ）図に示す電圧値でのＸ軸方向における直線性係数を示したものである。図中左端の測定点及び図中右端の測定点における直線性係数を０に設定してある。即ち、ここでの直線性係数を求める式は、下記の数１に示す計算式になっており、Ｘ軸方向（横方向）の両端の測定点（この測定点は導電電極に一番近い所にある）における電圧値（Ｖｉ０、及びＶｉ７）を基準にして直線性係数を算出する式になっている。従って、測定点の行毎に算出した直線性係数にて直線性の評価を行っている。ここで、左上隅にある測定点からＹ軸方向にｉ番目、Ｘ軸方向にｊ番目になる測定点における電圧値をＶｉｊ、その直線性係数をＣｉｊで表示している。
【００２０】
（数１）  Ｃｉｊ＝（Ｖｉ０＋（（（Ｖｉ７−Ｖｉ０）／７）×ｊ）−Ｖｉｊ）／（Ｖｉ７−Ｖｉ０）、
【００２１】
尚、上記数１において、ｉ＝０〜７、ｊ＝０〜７の数値を示す。また、Ｖｉ７＞Ｖｉ０となっている。図１４は直線性係数を説明する説明図で、図１２における測定点Ｐ００、Ｐ０３、Ｐ０７、即ち、測定電圧値がＶ００、Ｖ０３、Ｖ０７を示す部分を取り出して描いている。図１４において、測定点Ｐ００、Ｐ０７における測定電圧値Ｖ００、Ｖ０７を基準にして基準直線Ｌを描く。図に示すごとく、測定点Ｐ０３の測定電圧値Ｖ０３が基準直線Ｌより少し外れてΔ量の差異を持っている。この差異を示すΔ量と測定点Ｐ００、Ｐ０７における測定電圧の差（Ｖ０７−Ｖ００）との比、即ち、Δ／（Ｖ０７−Ｖ００）を直線性係数としている。これを一般式で表すと上記数１の式になる。実際上、直線性計数Ｃの値は各測定点において色々バラツキのある値を示す。このＣの値が０に近ければ近いほど直線性が良いと云える。
【００２２】
同様にして、図１３の（ａ）図はＹ軸側の座標読取りパネルにおける測定点の測定電圧値を示していて、（ｂ）図は（ａ）図に示す電圧値でのＹ軸方向に対する直線性係数を示している。ここでの直線性係数を求める式は、下記の数２に示す計算式になっており、図中Ｙ軸方向の上端の行の測定点と下端の行の測定点（この測定点は導電電極に一番近い所にある）における電圧値（Ｖ０ｊ、及びＶ７ｊ）を基準にして直線性係数を算出する式になっている。従って、測定点の列（縦方向）毎に算出した直線性係数にて直線性の評価を行っている。
【００２３】
（数２）  Ｃｉｊ＝（Ｖ０ｊ＋（（（Ｖ７ｊ−Ｖ０ｊ）／７）×ｉ）−Ｖｉｊ）／（Ｖ７ｊ−Ｖ０ｊ）、
【００２４】
尚、上記数２において、Ｖ７ｊ＞Ｖ０ｊである。以上のような計算式で直線性係数を算出し、当直線性係数で直線性を評価する方法は、Ｘ軸側の座標読取りパネルでは測定点の行毎に、Ｙ軸側の座標読取りパネルでは列毎に行っている。従って、斜め方向の直線性については全く考慮されていない。また、Ｘ軸側の座標読取りパネルでみた場合に、図１２の（ａ）図に示すように、図中左端の列と右端の列（この左端の列と右端の列は導電電極に一番近いところにある）の測定電圧値は、測定電圧値がそれぞれ異なるにも関わらず図１２の（ｂ）図においては直線性係数は０となる。このことはＹ軸側の座標読取りパネルでも同じことが云える。このことからも、上記の計算式による評価方法は真値のデータを十分反映する評価方法になっていない。
【００２５】
本発明は、上記課題に鑑みてなされたもので、Ｘ軸方向（横方向）やＹ軸方向（縦方向）、並びに、斜め方向も配慮した直線性の評価方法を見いだすことを目的とするものである。
【課題を解決するための手段】
【００２６】
上記の目的を達成する手段として、本発明の請求項１に記載の発明は、方形の透明電極と該透明電極の対向する二辺に接続した一対の導電電極とを有するＸ軸側の座標読取りパネルと、方形の透明電極と該透明電極の対向する二辺に接続した一対の導電電極とを有するＹ軸側の座標読取りパネルとを一定の隙間を持たせて対向配置してなる抵抗膜式タッチパネルの直線性の評価方法において、タッチパネルとして使用可能な方形の領域にて、縦・横それぞれ一定の間隔でマトリックス状に設定した複数の測定点を定め、前記Ｘ軸側の座標読取りパネル及び前記Ｙ軸側の座標読取りパネル間に一定の電圧を印加した下で各測定点における電圧値を検出し、前記タッチパネルとして使用可能な方形の領域の４隅の測定点の中で対角上にある２つの測定点の電圧値を基準にして直線性係数を算出し、該直線性係数をもって直線性の評価をすることを特徴とするものである。
【００２７】
また、本発明の請求項２に記載の発明は、前記の対角上にある２つの測定点の電圧値を基準にして算出する直線性係数は、タッチパネルとして使用可能な方形の領域を縦・横のそれぞれ略中央でもって分割して４つのブロックに分け、対角上にある２つのブロックをそれぞれグループにし、該グループの対角上にある２つのブロックの一番外側の隅にあって対角上にある２つの測定点の電圧値を基準にしてそのグループの直線性係数を算出することを特徴とするものである。
【００２８】
また、本発明の請求項３に記載の発明は、前記の対角上にある２つの測定点の電圧値を基準にして算出する直線性係数は一定の計算式に基づくことを特徴とするものである。
【００２９】
また、本発明の請求項４に記載の発明は、前記直線性係数の計算式は、前記測定点がＹ軸方向にｎ個、Ｘ軸方向にｍ個の測定点を持ち、これらの測定点を前記タッチパネルの縦・横のそれぞれ略中央でもって分割して左上、左下、右上、右下の４つのブロックに分けて、対角上にある左上と右下の２つのブロックを第１のグループ、左下と右上の２つのブロックを第２のグループとし、左上隅にある測定点からＹ軸方向にｉ番目、Ｘ軸方向にｊ番目になる測定点での電圧をＶｉｊ、又その所における直線性係数をＣｉｊと呼ぶと、直線性係数Ｃｉｊは、
前記Ｘ軸側の座標読取りパネルにおける前記第１のグループにては、
Ｃｉｊ＝（Ｖ００＋（（（Ｖｎｍ−Ｖ００）／ｍ）×ｊ）−Ｖｉｊ）／（Ｖｎｍ−Ｖ００）、
前記Ｘ軸側の座標読取りパネルにおける前記第２のグループにては、
Ｃｉｊ＝（Ｖｎ０＋（（（Ｖ０ｍ−Ｖｎ０）／ｍ）×ｊ）−Ｖｉｊ）／（Ｖ０ｍ−Ｖｎ０）、
又、Ｙ軸側の座標読取りパネルにおける前記第１のグループにては、
Ｃｉｊ＝（Ｖ００＋（（（Ｖｎｍ−Ｖ００）／ｎ）×ｉ）−Ｖｉｊ）／（Ｖｎｍ−Ｖ００）、
前記Ｙ軸側の座標読取りパネルにおける前記第２のグループにては、
Ｃｉｊ＝（Ｖ０ｍ＋（（（Ｖｎ０−Ｖ０ｍ）／ｎ）×ｉ）−Ｖｉｊ）／（Ｖｎ０−Ｖ０ｍ）、
（但し、ｉ＝０〜ｎ、ｊ＝０〜ｍ、Ｖｎｍ＞Ｖ００、Ｖ０ｍ＞Ｖｎ０、Ｖｎ０＞Ｖ０ｍ ）
の計算式で与えることを特徴とするものである。
【００３０】
また、本発明の請求項５に記載の発明は、前記の請求項１乃至４のいずれか１つに記載の直線性係数を使用し、該直線性係数の最大値をもってタッチパネルの評価を行うことを特徴とするものである。
【００３１】
また、本発明の請求項６記載の直線性検査装置は、前記の請求項１乃至５のいずれか１つに記載の直線性係数を算出してタッチパネルの直線性評価を行うことを特徴とするものである。
【００３２】
また、本発明の請求項７に記載の直線性検査装置は、 前記のマトリックス状に設定した複数の測定点で自動的にタッチパネルを押圧し、電圧値を検出し、前記計算式の下で自動的に直線性係数を計算し、直線性係数などの直線性評価結果を印刷出力することを特徴とするものである。
【００３３】
また、本発明の請求項８記載のタッチパネルは、前記の請求項１乃至５のいずれか１つに記載のタッチパネルの直線性の評価方法を用いて評価を行ったことを特徴とするものである。
【００３４】
また、本発明の請求項９に記載のタッチパネルは、前記の請求項６又は７に記載の直線性検査装置を用いて直線性の評価を行ったことを特徴とするものである。
【発明の効果】
【００３５】
請求項１及び２に記載の発明の効果としては、斜め方向の直線性も考慮したデータが得られる。また、導電電極の近い所の直線性も検討できるデータを得ることができる。より実用性が高まる。
【００３６】
また、請求項３及び４に記載の発明の効果としては、タッチパネルとして使用可能な領域の４隅を基準として、当領域を４つにブロック化してデータを算出するので得られたデータに信頼性が高い。
【００３７】
また、請求項５に記載の発明の効果としては、直線性の判定基準を明確にできて、管理基準との比較が容易となり、合否の判定がし易くなる。
【００３８】
また、請求項６及び７に記載の発明の効果としては、自動的に測定し、自動的に直線性係数を算出して直線性評価の結果が印刷出力されるので、検査時間が非常に短時間で終わり、同時に、スピーディに評価結果が分かる。
【００３９】
また、請求項８及び９に記載の発明の効果としては、本発明は、従来例と比べると、バラツキ具合が良く現れてくるようになる。直線性の判定を同じ管理基準でした場合に、本発明の評価方法の方が従来方法よりどちらかと云うと厳しく判定されると云える。このことから、保証度の高い品質のものを供給することができる。また、検査時間が非常に短時間で終わり、同時に、スピーディに評価結果が分かる。
【発明を実施するための最良の形態】
【００４０】
以下、本発明の最良の実施形態を図１及び図２を用いて説明する。図１はＸ軸側の座標読取りパネルの測定電圧値及びその直線性係数を示した表で、（ａ）図はＸ軸側の座標読取りパネルの測定点における測定電圧値、（ｂ）図は（ａ）図における測定電圧値の直線性係数を示したものである、また、図２はＹ軸側の座標読取りパネルの測定電圧値及びその直線性係数を示した表で、（ａ）図はＹ軸側の座標読取りパネルの測定点における測定電圧値、（ｂ）図は（ａ）図における測定電圧値の直線性係数を示したものである。尚、便宜上、符号で表示している。尚ここで、Ｘ軸側の座標読取りパネルは、前述した背景技術、図６〜９でもって説明した上透明電極１３と導電電極１４、１５を設けた上基板１１に相当するものであり、Ｙ軸側の座標読取りパネルは、下透明電極３と導電電極４、５を設けた下基板１に相当するものである。尚また、本発明はタッチパネルの直線性の評価方法に関する発明で、タッチパネルの構成は従来技術と同じ構成を取っている。従って、ここでの構成に係る説明は省略する。
【００４１】
図１の（ａ）図に示すように、Ｘ軸側の座標読取りパネルでの電圧測定点はＸ軸方向（横方向）に一定間隔に８カ所、Ｙ軸方向（縦方向）に一定間隔に８カ所、合計６４カ所の測定点を持っている。そして、各測定点における測定電圧値をＶ００〜Ｖ７７で示してある。この測定点はタッチパネルの使用可能な方形の領域内で設定され、その測定点の数はタッチパネルの大きさや品質レベルなどに応じて適宜設定するものである。
【００４２】
次に、各測定点を座標読取りパネルのＸ軸、Ｙ軸の略中央ラインでもって４つのブロックにブロック分けをおこなっており、そのブロック分けに沿って図中では、左上をＡブロック、右上をＢブロック、左下をＣブロック、右下をＤブロックと、ブロック分けをしている。そして、各ブロックの測定点の数は極力同数になるように区分けをする。
【００４３】
Ｘ軸側の座標読取りパネルでの各測定点における直線性係数は次のようにして求める。図１の（ａ）図に示すように、それぞれ対角上にある左上のＡブロックと右下のＤブロックを第１のグループ、左下のＣブロックと右上のＢブロックを第２のグループと２つのグループに分ける。
【００４４】
第１のグループ、即ち、ＡブロックとＤブロックの直線性係数は、下記の数３の計算式に基づいて算出する。尚、左上隅にある測定点からＹ軸方向にｉ番目、Ｘ軸方向にｊ番目になる測定点での電圧値をＶｉｊ、又その所における直線性係数をＣｉｊで表示する。また、Ｙ軸方向にｎ個、Ｘ軸方向にｍ個の測定点を持っている。
【００４５】
（数３）  Ｃｉｊ＝（Ｖ００＋（（（Ｖｎｍ−Ｖ００）／ｍ）×ｊ）−Ｖｉｊ）／（Ｖｎｍ−Ｖ００）、
【００４６】
ここで、また、Ｖｎｍ＞Ｖ００である。尚、本実施の形態では、Ｙ軸方向の測定点は８点であるのでｍ＝７、Ｘ軸方向の測定点も８点であるのでｎ＝７の数字を取る。従って、上記の数３を本実施形態に当てはめると、Ｃｉｊ＝（Ｖ００＋（（（Ｖ７７−Ｖ００）／７）×ｊ）−Ｖｉｊ）／（Ｖ７７−Ｖ００）の計算式になる。Ａブロックの一番外側の隅の測定点における電圧値、即ち、四角に囲った電圧値Ｖ００と、Ｄブロックの一番外側の隅の測定点における電圧値、即ち、四角に囲った電圧値Ｖ７７ （これらは何れも対角上にある）の２つの電圧値を基準にして直線性を算出する計算式になっている。
【００４７】
次に、第２のグループ、即ち、ＣブロックとＢブロックの直線性係数は、下記の数４の計算式に基づいて算出する。尚、ｉ、ｊ、Ｖｉｊ、Ｃｉｊは数３で説明したと同じであり、Ｖ０ｍ＞Ｖｎ０である。
【００４８】
（数４）  Ｃｉｊ＝（Ｖｎ０＋（（（Ｖ０ｍ−Ｖｎ０）／ｍ）×ｊ）−Ｖｉｊ）／（Ｖ０ｍ−Ｖｎ０）、
【００４９】
上記の数４の計算式を本実施形態に当てはめると、ｎ＝７、ｍ＝７であるから、直線性係数Ｃｉｊ＝（Ｖ７０＋（（（Ｖ０７−Ｖ７０）／７）×ｊ）−Ｖｉｊ）／（Ｖ０７−Ｖ７０）の計算式となる。Ｃブロックの一番外側の隅の測定点における電圧値、即ち、四角に囲った電圧値Ｖ７０、と、Ｂブロックの一番外側の隅の測定点における電圧値、即ち、四角に囲った電圧値Ｖ０７ （これらは何れも対角上にある） との２つの電圧値を基準にして直線性係数を算出する計算式になっている。
【００５０】
上記の数３及び数４の計算式でそれぞれの直線性係数を算出したものが図１の（ｂ）図である。（ｂ）図から分かるように、測定領域の４つの隅の測定点の直線性係数は０になっている。
【００５１】
次に、Ｙ軸側の座標読取りパネルの測定電圧値及びその直線性係数について図２を用いて説明する。図２の（ａ）図はＹ軸側の座標読取りパネルの測定電圧値、（ｂ）図は（ａ）図における測定電圧値の直線性係数を示したものである。（ａ）図から分かるように、Ｙ軸側の座標読取りパネルも、前述のＸ軸側の座標読取りパネルと同様に、Ａ、Ｂ、Ｃ、Ｄの４つのブロックにブロック分けしている。そして、ＡブロックとＤブロックを第１のグループ、ＣブロックとＢブロックを第２のグループにしている。ＡブロックとＤブロックの第１グループは、下記の数５の計算式でそれぞれの直線性係数を算出する。
【００５２】
（数５）  Ｃｉｊ＝（Ｖ００＋（（（Ｖｎｍ−Ｖ００）／ｎ）×ｉ）−Ｖｉｊ）／（Ｖｎｍ−Ｖ００）、
【００５３】
尚、上記の数５の計算式において、ｉ、ｊ、Ｖｉｊ、Ｃｉｊは前述の数３にて説明した通りであり、Ｖｎｍ＞Ｖ００、である。また、本実施形態ではｎ＝７、ｍ＝７であるから、上記数５の計算式を本実施形態に当てはめると、Ｃｉｊ＝（Ｖ００＋（（（Ｖ７７−Ｖ００）／７）×ｉ）−Ｖｉｊ）／（Ｖ７７−Ｖ００）の計算式になる。Ａブロックの一番外側の隅の測定点における電圧値、即ち、四角に囲った電圧値Ｖ００、と、Ｄブロックの一番外側の隅の測定点における電圧値、即ち、四角に囲った電圧値Ｖ７７ （これらは何れも対角上にある）との２つの電圧値を基準にして直線性を算出する計算式になっている。
【００５４】
また、ＢブロックとＣブロックの第２のグループのそれぞれの直線性係数は、下記の数６の計算式でそれぞれの直線性係数を算出する。
【００５５】
（数６）  Ｃｉｊ＝（Ｖ０ｍ＋（（（Ｖｎ０−Ｖ０ｍ）／ｎ）×ｉ）−Ｖｉｊ）／（Ｖｎ０−Ｖ０ｍ）、
【００５６】
尚、上記の数６の計算式において、ｉ、ｊ、Ｖｉｊ、Ｃｉｊは前述の数３で説明通りであり、Ｖｎ０＞Ｖ０ｍである。また、本実施形態ではｎ＝７、ｍ＝７であるから、上記数６の計算式を本実施形態に当てはめると、Ｃｉｊ＝（Ｖ０７＋（（（Ｖ７０−Ｖ０７）／７）×ｉ）−Ｖｉｊ）／（Ｖ７０−Ｖ０７）の計算式になる。Ｃブロックの一番外側の隅の測定点における電圧値、即ち、四角に囲った電圧値Ｖ７０、と、Ｂブロックの一番外側の隅の測定点における電圧値、即ち、四角に囲った電圧値Ｖ０７ （これらは何れも対角上にある）との２つの電圧値を基準にして直線性係数を算出する計算式になっている。
【００５７】
上記の数５及び数６の計算式でそれぞれの直線性係数を算出したものが図２の（ｂ）図である。（ｂ）図から分かるように、測定領域の４つの隅の測定点の直線性係数は０になっている。
【００５８】
以上のような方法でＸ軸側の座標読取りパネルの直線性係数、あるいはＹ軸側の座標読取りパネルの直線性係数を求めることによって、斜め方向の直線性ばかりではなく、横方向（行方向）や縦方向（列方向）も考慮した直線性を求めることができる。また、導電電極に近いライン周辺の直線性も見ることができる。このことは、使い勝手に合った直線性の評価方法とも云えるものである。
【実施例】
【００５９】
図３、図４に示すものは、測定電圧値と直線性係数を求めた一実施例である。以下、図３、図４に基づいて実施例を説明する。図３はＸ軸側の座標読取りパネルの測定電圧値と直線性係数を示したもので、（ａ）図は各々測定点の測定電圧値、（ｂ）図は（ａ）図における各々の測定電圧値の直線性係数を示している。図４はＹ軸側の座標読取りパネルの測定電圧値と直線性係数を示したもので、（ａ）図は各々測定点の測定電圧値、（ｂ）図は（ａ）図における各々の測定電圧値の直線性係数を示している。ここで使われたタッチパネルは、大きさが横略１７０ｍｍ×縦略１０５ｍｍのもので、使用可能な方形の領域、即ち、アクティブエリアは横略１５０ｍｍ×縦略９０ｍｍのものである。測定個所は使用可能な方形の領域内で、横方向に均等間隔に１０カ所、縦方向に均等間隔に１０カ所、計１００カ所の測定を行っている。また、各測定点における電圧測定回路は背景技術で説明した図１１に示す回路で、５Ｖの印加電圧で行っている。
【００６０】
このようにして測定した合計１００カ所の電圧値を、Ｘ軸側の座標読取りパネルにおいては図３の（ａ）図に、Ｙ軸側の座標読取りパネルにおいては図４の（ａ）図に示している。
【００６１】
次に、図３の（ａ）において、各々の測定電圧値を略中央位置ラインで４つのブロックにブロック分けし、それぞれ対角上にあるブロックをグループ化している。図中においては、ＡブロックとＤブロックを第１のグループ、ＣブロックとＢブロックを第２のグループとしている。
【００６２】
直線性の算出は、測定領域の４隅の測定点の測定電圧値を基準にする。第１のグループは、即ち、ＡブロックとＤブロックは対角上にある２つの隅の測定電圧値を基準にする。図中では四角に囲った０．１８３と４．６６４の値が基準になる。そして、前述した数３の計算式で直線性係数を算出する。図３の（ｂ）図において、ＡブロックとＤブロックの直線性係数の数値は数３に基づいて算出した数値で、百分率（％）で表示している。また、マイナス（−）の表示は、背景技術で図１４を用いて説明した基準直線Ｌ（図１４参照）より下側になっていることを示している。
【００６３】
次に、第２グループであるＣブロックとＢブロックの直線性係数は、対角上にある２つの隅の測定電圧値を基準にする。図中では四角に囲った０．１９３と４．６９０の値が基準になる。そして、前述した数４の計算式で直線性係数を算出する。図３の（ｂ）図に示すＣブロックとＢブロックの直線性係数の数値は数４に基づいて算出した数値である。尚、これも百分率（％）で表示している。
【００６４】
このような評価方法で算出した図３の（ｂ）図に示す直線性係数の数値は、図中＊印の数値−２．４９（％）が一番大きな数値を示している。このことは、直線性が最大略２．５％あることを云っている。
【００６５】
直線性係数はタッチパネルの押圧位置を精度良く検出するのに重要なファクターになる。このため、製品仕様によって求められる直線性係数の管理基準は異なる。例えば、±３％を管理基準として定めてある場合は、Ｘ軸側の座標読取りパネルの直線性は一応管理基準を満たしていると云える。
【００６６】
Ｙ軸側の座標読取りパネルにおける直線性は、Ｘ軸側の座標読取りパネルと同様な方法で求める。図４の（ａ）図は各測定点における電圧値を示している。（ａ）に示すように、対角上にあるＡブロックとＤブロックの直線性係数は対角上にある２つの隅の測定電圧値を基準にする。図中では、四角に囲った０．１３３と４．８４５の値が基準になる。そして、前述の数５の計算式でそれぞれの直線性係数を算出する。
【００６７】
一方、ＣブロックとＢブロックの直線性係数は対角上にある２つの隅の測定電圧値を基準にする。図中では、四角に囲った０．１４０と４．８５５の値が基準になる。そして、前述の数６の計算式でそれぞれの直線性係数を算出する。
【００６８】
このようにして算出した直線性係数の値を表にまとめたのが（ｂ）図である。（ｂ）図で表示した直線性は何れも百分率（％）で表してある。この表の中で＊印を付した２．２９％の数字が一番大きな数値である。これより、直線性が最大略２．３％の範囲内に収まっていると云うことができる。Ｙ軸側の座標読取りパネルの直線性も±３％の管理基準を一応満たしていると云える。
【００６９】
直線性係数はプラス・マイナス（±）で求められる。図中においてはプラス（＋）の符号は省略してある。このプラス（＋）は前述の背景技術で説明した図１４に示した基準直線Ｌより上側になっていることを示しており、マイナス（−）は基準直線Ｌより下側になっていることを示している。図３の（ｂ）図においては、ＡブロックとＣブロックはマイナス（−）の数値が多く、ＢブロックとＤブロックはプラス（＋）の数値が多い。このように見ていくと直線性の傾向が見えてくる。また、直線性係数の最大値をもって直線性を評価するようにすれば、決められた管理基準値との比較も容易にでき、評価基準を明確にできると共に、良し、悪しの判定もできる。
【００７０】
直線性係数の計算は全てパソコンで自動的に行う。予め計算式をパソコンに登録しておくことにより、測定された電圧値を基にして自動的に計算される。そして、図３の（ｂ）図や図４の（ｂ）図の如くの数値表が自動的に印刷出力することができる。勿論、図３の（ａ）図や図４の（ａ）の電圧値の表も同様である。また、この印刷出力した表の中に色々な欲しい検査情報も盛り込むことができる。例えば、管理基準値内に納まっているのか否かの表示、どの測定点が一番大きい数値を示しているのかの表示、などである。
【００７１】
従来の方法では、導電電極の周辺ラインの直線性を全て０の評価をしたいた。しかし、以上述べた評価方法を取ることによって、導電電極の周辺ラインの直線性も確認することができ、より真の値に近い直線性の評価ができるようになる。また、４つのブロックにブロック割りし、対角上にある２つのブロックの一番外側の隅の測定点における電圧値を基準にして、両ブロック内の各々の測定電圧値の直線性係数を求めるやり方を取る。従って、斜め方向の直線性も考慮した評価方法にもなっている。また、従来の方法と比べると、真の値に近いものが得られて信頼性が高まると云える。また、パネル全体における直線性の傾向などもつかむことができる。
【００７２】
また、従来例でのやり方は、行毎に、或いは列毎にグループを作って直線性を算出する評価方法を取っている。この評価方法では、どちらかと云うと、全体的に直線性のバラツキ具合は小さくなる。一方、本発明の直線性の評価方法は２つのグループの下で直線性を評価する。評価データ数を多く取ってグループを構成していることより、グループ内のそれぞれの直線性係数のバラツキ具合が良く現れてくる。直線性係数の判定を同じ管理基準でした場合に、本発明の評価方法の方が従来方法よりどちらかと云うと厳しく判定されると云える。このことから、保証度の高い品質のものを供給することができる。
【００７３】
図５に示すものは本発明の直線性検査装置を説明する説明図を示したものである。今まで述べた各電圧測定点の電圧値の測定から直線性係数の算出、更には、それらの算出結果の数値表の印刷出力まで、自動的に作業を行う検査装置になっている。本発明の直線性検査装置４０はパソコン４１、モニター４２、ＸＹ駆動装置４３、本体部４５、ＤＭＭ（デジタルマルチメータ）４６、Ｉ／Ｏボード４７、プリンター４８などが主要構成になってできている。パソコン４１はモニータ４２と接続されていて、キーボード入力で必要な情報をモニータ４２にて確認しながらパソコン４１に記憶させる。また、パソコン４１はＸＹ駆動装置４３と接続されていて、パソコン４１から出た情報に基づいてＸＹ駆動装置４３が駆動し、また、本体４５からの命令により、所定の測定点における抵抗や電圧が測定され、それらの値が検出できるようになっている。
【００７４】
ＸＹ駆動装置４３は、載品台４３ｆがあり、その載品台４３ｆの図中左端側に固定台４３ａが固定されている。また、この固定台４３ａには図中縦方向、即ち、矢印で示したＹ軸に摺動可能にＹ軸用スライダー４３ｂが設けられている。また、このＹ軸用スライダー４３ｂには図中左右横方向、即ち、Ｘ軸に摺動可能にＸ軸用スライダー４３ｃが設けられている。また、Ｘ軸用スライダー４３ｃの下面側には押圧測定子４３ｄが上下に運動可能に設けられている。パソコン４１から発せられた測定点の座標位置情報に基づき、Ｙ軸用スライダー４３ｂが動き、更に、Ｘ軸用スライダー４３ｃが動いて所定の位置に押圧測定子４３ｄがくる。そして、押圧測定子４３ｄが上下に動いてタッチパネル２０の上基板を押圧する。押圧測定子４３ｄは、先端が半球状のウレタンゴムなどでできており、ソレノイドやエアーシリンダなどによって上下に運動するようになっている。Ｘ軸用スライダー４３ｃはベルトとパルスモータによってＸ軸側を運動する。Ｙ軸用スライダー４３ｂは固定台４３ａとボールネジなどによって係合してＹ軸側を運動する。載品台４３ｆには３本のガイドピン４３ｇが設けられており、タッチパネル２０がＸ軸と平行に載置できるようになっている。また、載置されたタッチパネル２０は真空吸引で載品台４３ｆ上に固定される。
【００７５】
本体部４５は位置検出回路やリレー切替回路などからなっており、この本体部４５はタッチパネル２０、及びＤＭＭ４６と接続されている。押圧測定子４３ｄでタッチパネル２０の測定点における上基板を押圧すると上基板の上透明電極と下基板の下透明電極と接触し電気的導通が行われる。最初、上基板側の測定点における抵抗値、電圧値をＤＭＭ４６で測定し、次に、本体部４５のリレー切替えにより、下基板側の測定点における抵抗値、電圧値をＤＭＭ４６で測定する。これらの測定したデータはＤＭＭ４６よりＲＳ２３２Ｃインターフェースを通して接続したパソコン４１のハードデスクにデータファイルとして書き込まれる。また、押圧された測定点の位置は本体部４５の位置検出回路で検出して、その位置をパソコンで読みこむようになっている。
【００７６】
また、プリンター４８がパソコン４１に接続されていて、測定して得られたデータが印刷できるようになっている。
【００７７】
予め測定点の位置や直線性係数の計算式などをキーボード操作でモニータ４２にて確認しながらパソコン４１に登録しておく。そして、検査スタート指示が入ると、パソコン４１に接続したＸＹ駆動装置４３と本体４５とが駆動して各測定点の電圧測定が始まる。電圧値はＤＭＭ４６で検出してそのデータをパソコン４１に書き込み、次に、パソコン４１内で所定の計算式の下で直線性係数が算出される。そして、最後にプリンターで印刷出力される。本発明の直線性検査装置は、このように、測定から印刷までの一連の作業を自動的に、そして、スピーディに行えるようになっている。そして、直線性係数の評価結果までを盛り込んだデータが得られるようになっている。また、直線性係数が管理基準に対して外れたものが現れた場合にはＸＹ駆動装置４３に赤ランプがついて作業者に知らせることもできるようになっている。また、プリンター４８の印刷出力もマニアル出力に切替えることもできるようにもなっている。
【００７８】
以上のことから、本発明の直線性検査装置を用いてタッチパネルの直線性評価を行えば、その処理時間は非常に短時間で、且つ、スピーディに処理できる。早く、安く、且つ、正確に直線性評価を行うことができる。そして、そのようにして得られたタッチパネルは信頼性の高いタッチパネルとして供給することができる。
【産業上の利用可能性】
【００７９】
本発明は座標読取りパネルの直線性（リニアリティ）の評価方法、並びに、それらの検査装置に関する発明で、抵抗膜式のタッチパネルに利用する。
【図面の簡単な説明】
【００８０】
【図１】本実施形態におけるＸ軸側の座標読取りパネルの測定電圧値及びその直線性係数を示した表で、（ａ）図はＸ軸側の座標読取りパネルの測定点における測定電圧値、（ｂ）図は（ａ）図における測定電圧値の直線性係数を示したものである。
【図２】本実施形態におけるＹ軸側の座標読取りパネルの測定電圧値及びその直線性係数を示した表で、（ａ）図はＹ軸側の座標読取りパネルの測定点における測定電圧値、（ｂ）図は（ａ）図における測定電圧値の直線性係数を示したものである。
【図３】本実施例におけるＸ軸側の座標読取りパネルの測定電圧値と直線性係数を示したもので、（ａ）図は各々測定点の測定電圧値、（ｂ）図は（ａ）図における各々の測定電圧値の直線性係数を示したものである。
【図４】本実施例におけるＹ軸側の座標読取りパネルの測定電圧値と直線性係数を示したもので、（ａ）図は各々測定点の測定電圧値、（ｂ）図は（ａ）図における各々の測定電圧値の直線性係数を示したものである。
【図５】本発明の直線性検査装置の説明図である。
【図６】一般的な抵抗膜式タッチパネルの平面図である。
【図７】図６におけるＥ−Ｅ断面図である。
【図８】図６における下基板の平面図である。
【図９】図６おける上基板の平面図である。
【図１０】ペンで上基板を押圧したときの押圧状態を示した模式図である。
【図１１】座標入力の原理を説明する模式的回路図を示していて、（ａ）図はＸ軸側の座標読取りパネルに電圧を印加した状態を示した模式的回路図、（ｂ）図はＹ軸側の座標読取りパネルに電圧を印加した状態を示した模式的回路図である。
【図１２】Ｘ軸側の座標読取りパネルの測定電圧値及びその直線性係数を示した表で、（ａ）図はＸ軸側の座標読取りパネルの測定点における測定電圧値、（ｂ）図は（ａ）図における測定電圧値の直線性係数を示したものである。
【図１３】Ｙ軸側の座標読取りパネルの測定電圧値及びその直線性係数を示した表で、（ａ）図はＹ軸側の座標読取りパネルの測定電圧値、（ｂ）図は（ａ）図における測定電圧値の直線性係数を示したものである。
【図１４】直線性係数を説明する説明図である。
【符号の説明】
【００８１】
１    下基板
２    下透明基板
３    下透明電極
４、５    導電電極
６、７    継ぎ電極
８    ドットスペーサ
１１    上基板  
１２    上透明基板
１３    上透明電極
１４、１５    導電電極  
１７    シール材
２０    タッチパネル
３１    スイッチ
３２    定電圧電源
３３    電圧計
４０    直線性検査装置
４１    パソコン
４２    モニータ
４３    ＸＹ駆動装置
４５    本体部
４６    ＤＭＭ
４７    Ｉ／Ｏボード
４８    プリンター
Ｘ１    Ｘ軸側の座標読取りパネル
Ｙ１    Ｙ軸側の座標読取りパネル
Ｔ１、Ｔ２    透明電極
Ｄ１、Ｄ２    導電電極
Ｃ      直線性係数
Ｖ      電圧値
Ｌ      基準直線
【図１】
2005127787.tif 000003
【図２】
2005127787.tif 000004
【図３】
2005127787.tif 000005
【図４】
2005127787.tif 000006
【図５】
2005127787.tif 000007
【図６】
2005127787.tif 000008
【図７】
2005127787.tif 000009
【図８】
2005127787.tif 000010
【図９】
2005127787.tif 000011
【図１０】
2005127787.tif 000012
【図１１】
2005127787.tif 000013
【図１２】
2005127787.tif 000014
【図１３】
2005127787.tif 000015
【図１４】
2005127787.tif 000016